【手続補正書】
【提出日】平成19年11月28日(2007.11.28)
【手続補正１】
【補正対象書類名】明細書
【補正対象項目名】特許請求の範囲
【補正方法】変更
【補正の内容】
【特許請求の範囲】
【請求項１】  ａ１）少なくとも１個のエチレン性不飽和結合を有するオリゴマー、コオリゴマー、ポリマー若しくはコポリマーの少なくとも１個又はそれらの混合物；又は
ａ２）少なくとも１個のエチレン性不飽和モノマーと少なくとも１個のエチレン性不飽和結合を有するオリゴマー、コオリゴマー、ポリマー又はコポリマーの少なくとも１個との混合物
を含む、ＵＶ硬化可能組成物の保存安定性を向上させ、ＵＶ光の作用下で黄変を予防するための安定した立体的ヒンダードニトロキシルフリーラジカル、又はベンゾフラン−２−オン型化合物、又は２種の化合物の混合物の使用。
【請求項２】  モノマー、オリゴマー、コオリゴマー、ポリマー又はコポリマーが少なくとも２個のエチレン性不飽和結合を有する、請求項１記載の使用。
【請求項３】  モノマー、オリゴマー、コオリゴマー、ポリマー又はコポリマーが、少なくとも１個のアクリラート若しくはメタクリラート官能基を含有するか、又は不飽和酸から誘導されるポリエステルである、請求項１記載の使用。
【請求項４】  安定した立体的ヒンダードニトロキシルフリーラジカルが、下記の構造特徴：
【化１】
2003516435.tif 000001
（式中、Ｒは、アルキルであり、そしてＴは、５員又は６員環を完成するために必要な基である）を有する、請求項１記載の使用。
【請求項５】  安定した立体的ヒンダードニトロキシルフリーラジカルが、
ビス（１−オキシ−２，２，６，６−テトラメチルピペリジン−４−イル）セバカート、４−ヒドロキシ−１−オキシ−２，２，６，６−テトラメチルピペリジン、４−エトキシ−１−オキシ−２，２，６，６−テトラメチルピペリジン、４−プロポキシ−１−オキシ−２，２，６，６−テトラメチルピペリジン、４−アセトアミド−１−オキシ−２，２，６，６−テトラメチルピペリジン、１−オキシ−２，２，６，６−テトラメチルピペリジン、１−オキシ−２，２，６，６−テトラメチルピペリジン−４−オン、１−オキシ−２，２，６，６−テトラメチルピペリジン−４−イルアセタート、１−オキシ−２，２，６，６−テトラメチルピペリジン−４−イル  ２−エチルヘキサノアート、１−オキシ−２，２，６，６−テトラメチルピペリジン−４−イルステアラート、１−オキシ−２，２，６，６−テトラメチルピペリジン−４−イルベンゾアート、１−オキシ−２，２，６，６−テトラメチルピペリジン−４−イル  ４−tert−ブチル−ベンゾアート、ビス（１−オキシ−２，２，６，６−テトラメチルピペリジン−４−イル）スクシナート、ビス（１−オキシ−２，２，６，６−テトラメチルピペリジン−４−イル）アジパート、ビス（１−オキシ−２，２，６，６−テトラメチルピペリジン−４−イル）ｎ−ブチルマロナート、ビス（１−オキシ−２，２，６，６−テトラメチルピペリジン−４−イル）フタラート、ビス（１−オキシ−２，２，６，６−テトラメチルピペリジン−４−イル）イソフタラート、ビス（１−オキシ−２，２，６，６−テトラメチルピペリジン−４−イル）テレフタラート、ビス（１−オキシ−２，２，６，６−テトラメチルピペリジン−４−イル）ヘキサヒドロテレフタラート、Ｎ，Ｎ′−ビス（１−オキシ−２，２，６，６−テトラメチルピペリジン−４−イル）アジパミド、Ｎ−（１−オキシ−２，２，６，６−テトラメチルピペリジン−４−イル）カプロラクタム、Ｎ−（１−オキシ−２，２，６，６−テトラメチルピペリジン−４−イル）ドデシルスクシンイミド、２，４，６−トリス〔Ｎ−ブチル−Ｎ−（１−オキシ−２，２，６，６−テトラメチルピペリジン−４−イル）〕−ｓ−トリアジン、４，４′−エチレンビス（１−オキシ−２，２，６，６−テトラメチルピペラジン−３−オン）、２−オキシ−１，１，３，３、−テトラメチル−２−イソベンザゾール、１−オキシ−２，２，５，５−テトラメチルピロリジン及びＮ，Ｎ−ビス（１，１，３，３−テトラメチルブチル）ニトロキシドからなる群より選択される、請求項１記載の使用。
【請求項６】  式（Ｉ）：
【化２】
2003516435.tif 000002
〔式中、ｎが１の場合、
Ｒ1は、ナフチル、フェナントリル、アントリル、５，６，７，８−テトラヒドロ−２−ナフチル、５，６，７，８−テトラヒドロ−１−ナフチル、チエニル、ベンゾ〔ｂ〕チエニル、ナフト〔２，３−ｂ〕チエニル、チアントレニル、ジベンゾフリル、クロメニル、キサンテニル、フェノキサチイニル、ピロリル、イミダゾリル、ピラゾリル、ピラジニル、ピリミジニル、ピリダジニル、インドリジニル、イソインドリル、インドリル、インダゾリル、プリニル、キノリジニル、イソキノリル、キノリル、フタラジニル、ナフチリジニル、キノキサリニル、キナゾリニル、シンノリニル、プテリジニル、カルバゾリル、β−カルボリニル、フェナントリジニル、アクリジニル、ペリミジニル、フェナントロリニル、フェナジニル、イソチアゾリル、フェノチアジニル、イソキサゾリル、フラザニル、ビフェニル、テルフェニル、フルオレニル又はフェノキアジニルであり、それぞれ非置換又はＣ1−Ｃ4アルキル、Ｃ1−Ｃ4アルコキシ、Ｃ1−Ｃ4アルキルチオ、ヒドロキシ、ハロゲン、アミノ、Ｃ1−Ｃ4アルキルアミノ、フェニルアミノ若しくはジ（Ｃ1−Ｃ4アルキル）アミノで置換されているか、或いはＲ1は、式（II）：
【化３】
2003516435.tif 000003
の基であり、そして
ｎが２の場合、
Ｒ1は、フェニレン又はナフチレンであり、それぞれ非置換又はＣ1−Ｃ4アルキル若しくはヒドロキシで置換されているか；或いは−Ｒ12−Ｘ−Ｒ13であり、
Ｒ2、Ｒ3、Ｒ4及びＲ5は、それぞれ互いに独立して、水素、塩素、ヒドロキシ、Ｃ1−Ｃ25アルキル、Ｃ7−Ｃ9フェニルアルキル、非置換若しくはＣ1−Ｃ4アルキル置換フェニル；非置換若しくはＣ1−Ｃ4アルキル置換Ｃ5−Ｃ8シクロアルキル；Ｃ1−Ｃ18アルコキシ、Ｃ1−Ｃ18アルキルチオ、Ｃ1−Ｃ4アルキルアミノ、ジ（Ｃ1−Ｃ4アルキル）アミノ、Ｃ1−Ｃ25アルカノイルオキシ、Ｃ1−Ｃ25アルカノイルアミノ、Ｃ3−Ｃ25アルケノイルオキシ、酸素、硫黄若しくは下記式：
【化４】
2003516435.tif 000004
で中断されているＣ3−Ｃ25アルカノイルオキシ；Ｃ6−Ｃ9シクロアルキルカルボニルオキシ、ベンゾイルオキシ又はＣ1−Ｃ12アルキル置換ベンゾイルオキシであるか、又は基Ｒ2とＲ3若しくは基Ｒ3とＲ4若しくは基Ｒ4とＲ5は、それらが結合している炭素原子と一緒になってベンゾ環を形成するか、又はＲ4は、更に−（ＣＨ2）p−ＣＯＲ15若しくは−（ＣＨ2）q−ＯＨであってよいか、又はＲ3、Ｒ5及びＲ6が水素の場合、Ｒ4は、更に式（III）：
【化５】
2003516435.tif 000005
（式中、Ｒ1は、上記のｎが１の場合と同義である）
の基であってよく、
Ｒ6は、水素又は下記式（IV）：
【化６】
2003516435.tif 000006
（式中、Ｒ4は、式（III）の基ではなく、そしてＲ1は、上記のｎが１の場合と同義である）の基であり、
Ｒ7、Ｒ8、Ｒ9、Ｒ10及びＲ11は、互いに独立して、水素、ハロゲン、ヒドロキシ、Ｃ1−Ｃ25アルキル、酸素、硫黄若しくは下記式：
【化７】
2003516435.tif 000007
で中断されているＣ2−Ｃ25アルキル；Ｃ1−Ｃ25アルコキシ、酸素、硫黄若しくは下記式：
【化８】
2003516435.tif 000008
で中断されているＣ2−Ｃ25アルコキシ；Ｃ1−Ｃ25アルキルチオ、Ｃ3−Ｃ25アルケニル、Ｃ3−Ｃ25アルケニルオキシ、Ｃ3−Ｃ25アルキニル、Ｃ3−Ｃ25アルキニルオキシ、Ｃ7−Ｃ9フェニルアルキル、Ｃ7−Ｃ9フェニルアルコキシ、非置換若しくはＣ1−Ｃ4アルキル置換フェニル；非置換若しくはＣ1−Ｃ4アルキル置換フェノキシ；非置換若しくはＣ1−Ｃ4アルキル置換Ｃ5−Ｃ8シクロアルキル；非置換若しくはＣ1−Ｃ4アルキル置換Ｃ5−Ｃ8シクロアルコキシ；Ｃ1−Ｃ4−アルキルアミノ、ジ（Ｃ1−Ｃ4アルキル）アミノ、Ｃ1−Ｃ25アルカノイル、酸素、硫黄若しくは下記式：
【化９】
2003516435.tif 000009
で中断されているＣ3−Ｃ25アルカノイル；Ｃ1−Ｃ25アルカノイルオキシ、酸素、硫黄若しくは下記式：
【化１０】
2003516435.tif 000010
で中断されているＣ3−Ｃ25アルカノイルオキシ、Ｃ1−Ｃ25アルカノイルアミノ、Ｃ3−Ｃ25アルケノイル、酸素、硫黄若しくは下記式：
【化１１】
2003516435.tif 000011
で中断されているＣ3−Ｃ25アルケノイル；Ｃ3−Ｃ25アルケノイルオキシ、酸素、硫黄若しくは下記式：
【化１２】
2003516435.tif 000012
で中断されているＣ3−Ｃ25アルケノイルオキシ；Ｃ6−Ｃ9シクロアルキルカルボニル、Ｃ6−Ｃ9シクロアルキルカルボニルオキシ、ベンゾイル若しくはＣ1−Ｃ12アルキル置換ベンゾイル；ベンゾイルオキシ若しくはＣ1−Ｃ12アルキル置換ベンゾイルオキシ；又は下記式：
【化１３】
2003516435.tif 000013
であるか、又は式（II）において、基Ｒ7及びＲ8若しくは基Ｒ8及びＲ11は、それらが結合している炭素原子と一緒になってベンゾ環を形成し、
Ｒ12及びＲ13は、それぞれ互いに独立して、非置換又はＣ1−Ｃ4アルキル置換フェニレン若しくはナフチレンであり、
Ｒ14は、水素又はＣ1−Ｃ8アルキルであり、
Ｒ15は、水素、下記式：
【化１４】
2003516435.tif 000014
Ｃ1−Ｃ18アルコキシ又は下記式：
【化１５】
2003516435.tif 000015
であり、
Ｒ16及びＲ17は、それぞれ互いに独立して、水素、ＣＦ3、Ｃ1−Ｃ12アルキル若しくはフェニルであるか、又はＲ16及びＲ17は、それらが結合している炭素原子と一緒になって、非置換又は１〜３個のＣ1−Ｃ4アルキル基で置換されているＣ5−Ｃ8シクロアルキリデン環を形成し；
Ｒ18及びＲ19は、それぞれ互いに独立して、水素、Ｃ1−Ｃ4アルキル又はフェニルであり、
Ｒ20は、水素又はＣ1−Ｃ4アルキルであり、
Ｒ21は、水素、非置換若しくはＣ1−Ｃ4アルキル置換フェニル；Ｃ1−Ｃ25アルキル、酸素、硫黄若しくは下記式：
【化１６】
2003516435.tif 000016
で中断されているＣ2−Ｃ25アルキル；非置換若しくはフェニル基において１〜３個のＣ1−Ｃ4アルキル基で置換されているＣ7−Ｃ9フェニルアルキル；非置換若しくはフェニル基において１〜３個のＣ1−Ｃ4アルキル基で置換され、酸素、硫黄若しくは下記式：
【化１７】
2003516435.tif 000017
で中断されているＣ7−Ｃ25フェニルアルキルであるか、又は基Ｒ20及びＲ21は、それらが結合している炭素原子と一緒になって、非置換又は１〜３個のＣ1−Ｃ4アルキル基で置換されているＣ5−Ｃ12シクロアルキレン環を形成し；
Ｒ22は、水素又はＣ1−Ｃ4アルキルであり、
Ｒ23は、水素、Ｃ1−Ｃ25アルカノイル、Ｃ3−Ｃ25アルケノイル、酸素、硫黄若しくは下記式：
【化１８】
2003516435.tif 000018
で中断されているＣ3−Ｃ25アルカノイル；ジ（Ｃ1−Ｃ6アルキル）ホスホナート基で置換されているＣ2−Ｃ25アルカノイル；Ｃ6−Ｃ9シクロアルキルカルボニル、テノイル、フロイル、ベンゾイル若しくはＣ1−Ｃ12アルキル置換ベンゾイル；又は下記式：
【化１９】
2003516435.tif 000019
であり、
Ｒ24及びＲ25は、それぞれ互いに独立して、水素又はＣ1−Ｃ18アルキルであり、
Ｒ26は、水素又はＣ1−Ｃ8アルキルであり、
Ｒ27は、直接結合、Ｃ1−Ｃ18アルキレン、酸素、硫黄若しくは下記式：
【化２０】
2003516435.tif 000020
で中断されているＣ2−Ｃ18アルキレン；Ｃ2−Ｃ18アルケニレン、Ｃ2−Ｃ20アルキリデン、Ｃ7−Ｃ20フェニルアルキリデン、Ｃ5−Ｃ8シクロアルキレン、Ｃ7−Ｃ8ビシクロアルキレン、非置換若しくはＣ1−Ｃ4置換フェニレン、又は下記式：
【化２１】
2003516435.tif 000021
であり、
Ｒ28は、ヒドロキシ、下記式：
【化２２】
2003516435.tif 000022
Ｃ1−Ｃ18アルコキシ又は下記式：
【化２３】
2003516435.tif 000023
であり、
Ｒ29は、酸素、−ＮＨ−又は下記式：
【化２４】
2003516435.tif 000024
であり、
Ｒ30は、Ｃ1−Ｃ18アルキル又はフェニルであり、
Ｒ31は、水素又はＣ1−Ｃ18アルキルであり、
Ｍは、ｒ価金属陽イオンであり、
Ｘは、直接結合、酸素、硫黄又は−ＮＲ31−であり、
ｎは、１又は２であり、
ｐは、０、１又は２であり、
ｑは、１、２、３、４、５又は６であり、
ｒは、１、２又は３であり、そして
ｓは、０、１又は２である〕で示される化合物をベンゾフラン−２−オン型の成分として含む、請求項１記載の使用。
【請求項７】  式（Ｖ）：
【化２５】
2003516435.tif 000025
（式中、
Ｒ2は、水素又はＣ1−Ｃ6アルキルであり、
Ｒ3は、水素であり、
Ｒ4は、水素又はＣ1−Ｃ6アルキルであり、
Ｒ5は、水素であり、
Ｒ7、Ｒ8、Ｒ9、Ｒ10及びＲ11は、それぞれ互いに独立して、水素、Ｃ1−Ｃ4アルキル、Ｃ1−Ｃ4アルコキシ又は下記式：
【化２６】
2003516435.tif 000026
であるが、但し、基Ｒ7、Ｒ8、Ｒ9、Ｒ10及びＲ11のうち少なくとも２個が水素であり、
Ｒ20、Ｒ21及びＲ22は、水素であり、そして
Ｒ23は、Ｃ2−Ｃ4アルカノイルである）で示される化合物をベンゾフラン−２−オン型の成分として含む、請求項６記載の使用。
【請求項８】  ベンゾフラン−２−オン型の成分が式（Va）若しくは（Vb）：
【化２７】
2003516435.tif 000027
で示される化合物であるか、又は式（Va）と（Vb）の２種の化合物の混合物である、請求項７記載の使用。
【請求項９】  立体的ヒンダードニトロキシルフリーラジカル又はベンゾフラン−２−オン型の化合物がモノマー、オリゴマー、コオリゴマー、ポリマー又はコポリマーの全体量に基づき、０．０００１〜１０重量％の量で存在する、請求項１記載の使用。
【請求項１０】  ａ１）少なくとも１個のエチレン性不飽和結合を有するオリゴマー、コオリゴマー、ポリマー若しくはコポリマーの少なくとも１個又はそれらの混合物；又は
ａ２）少なくとも１個のエチレン性不飽和モノマーと少なくとも１個のエチレン性不飽和結合を有するオリゴマー、コオリゴマー、ポリマー又はコポリマーの少なくとも１個との混合物
を含むＵＶ硬化可能組成物の保存安定性を向上させ、ＵＶ光の作用下で黄変を予防する方法であり、少なくとも１個の安定した立体的ヒンダードニトロキシルフリーラジカル、又は少なくとも１個のベンゾフラン−２−オン型化合物、又は２種の化合物の混合物を加えることを含む方法。